(57)【要約】    【課題】居室親機毎に事前に登録された数字およびアルファベットからなる複数の部屋番号から呼出先の居室親機の選択を容易とすることにより、呼出操作の利便性を高める。    【解決手段】共同玄関機３ａ、３ｂ、・・・のテンキー３００の押下回数によって、数字およびアルファベットからなる複数の部屋番号から呼出先の居室親機の部屋番号を選択する。  【選択図】図２
2007067489.tif 000002
【特許請求の範囲】
【請求項１】
居室毎に設置される居室親機（１ａ、１ｂ、・・・）と、共同玄関に設置され、前記居室親機を呼び出す際、事前に登録された数字およびアルファベットからなる複数の部屋番号から呼出先の居室親機を検索するためのテンキー（３００）を有する共同玄関機（３ａ、３ｂ、・・・）とを備え、
前記テンキーに前記数字およびアルファベットを割り付け、前記テンキーの押下回数により、前記数字およびアルファベットを含む部屋番号から前記居室親機を選択して呼び出す呼出機能を備えることを特徴とする集合住宅用インターホンシステム。
【請求項２】
居室毎に設置される居室親機（１ａ、１ｂ、・・・）と、共同玄関に設置され、前記居室親機を呼び出す際、事前に登録された数字およびアルファベットからなる複数の部屋番号から呼出先の居室親機を検索するためのテンキー（４００）を有する共同玄関機（３ａ、３ｂ、・・・）とを備え、
前記共同玄関機に、前記テンキーにより前記部屋番号の数字の一部または全部を入力することにより前記入力した数字の全てが含まれるアルファベット付の部屋番号から順次一覧表示され、前記一覧表示された部屋番号をスクロール操作により該当する部屋番号を選択して呼び出すスクロールキー（４０１）を備えることを特徴とする集合住宅用インターホンシステム。
【請求項３】
居室毎に設置される居室親機（１ａ、１ｂ、・・・）と、管理室に設置され、前記居室親機を呼び出す際、事前に登録された数字およびアルファベットからなる複数の部屋番号から呼出先の居室親機を検索するためのテンキー（２００）を有する管理室親機（２ａ、２ｂ、・・・）とを備え、
前記管理室親機に、前記テンキーにより前記部屋番号の数字の一部または全部を入力することにより前記入力した数字の全てが含まれるアルファベット付の部屋番号から順次一覧表示され、前記一覧表示された部屋番号をスクロール操作により該当する部屋番号を選択して呼び出すスクロールキー（２０１）を備えることを特徴とする集合住宅用インターホンシステム。
【発明の詳細な説明】
【技術分野】
【０００１】
本発明は、マンション等の集合住宅に設置される集合住宅用インターホンシステムに係り、特に、居室親機毎に事前に登録された複数の部屋番号から呼出先の居室親機を容易に選択することができる集合住宅用インターホンシステムに関する。
【背景技術】
【０００２】
従来から、この種の集合住宅用インターホンシステムとして、例えば、集合玄関（共同玄関と同意。）に居る来訪者、または管理室（管理人室と同意。）内に在室中の管理人が特定の居室内に在室中の居住者を呼び出して通話を成立させることができる集合住宅用インターホンシステムが提案されている（例えば、非特許文献１を参照。）。
【０００３】
この集合住宅用インターホンシステムにおいて、集合玄関に設置された集合玄関機にて呼出操作を行うにあたり、来訪者はテンキーにより呼出先の居室に事前に登録されている部屋番号を入力した後、呼出ボタンを操作していた。また、管理室内に設置された管理室親機にて呼出操作を行うにあたり、管理人は、来訪者による呼出操作と同様、テンキーにより呼出先の居室に事前に登録されている部屋番号を入力した後、呼出ボタンを操作していた。
【０００４】
なお、集合玄関機にて行われる前述の呼出操作については、特開２００３−２８９３９０号公報（段落番号「０００２」〜「０００７」、第５図）にも開示されている内容である。
【０００５】
【非特許文献１】アイホン総合カタログ  ２００５／２００６年版（１５４頁、１５５頁、１８２頁、１８８頁等）
【発明の開示】
【発明が解決しようとする課題】
【０００６】
背景技術に記載した非特許文献１（特許文献１）の集合住宅用インターホンシステムにおいて、集合玄関機および管理室親機にて入力される部屋番号は、テンキーを構成する１０個のキーボタン毎に割り付けられた「０」〜「９」の数字の組み合わせ、例えば、「１０１」、「１０２」、・・・のような数字のみの複数の部屋番号にしか対応できず、「Ａ１０」、「Ｂ１０」、・・・のような数字およびアルファベットからなる複数の部屋番号には対応できなかった。
【０００７】
本発明は、この難点を解消するためになされたもので、居室親機毎に事前に登録された数字およびアルファベットからなる複数の部屋番号から呼出先の居室親機の選択を容易とすることにより、呼出操作の利便性が高められた集合住宅用インターホンシステムを提供することを目的としている。
【課題を解決するための手段】
【０００８】
前述の目的を達成するため、本発明の第１の態様である集合住宅用インターホンシステムは、居室毎に設置される居室親機と、共同玄関に設置され、居室親機を呼び出す際、事前に登録された数字およびアルファベットからなる複数の部屋番号から呼出先の居室親機を検索するためのテンキーを有する共同玄関機とを備えたものである。テンキーに数字およびアルファベットを割り付け、テンキーの押下回数により、数字およびアルファベットからなる部屋番号から居室親機を選択して呼び出す呼出機能を備えたものである。
【０００９】
本発明の第２の態様である集合住宅用インターホンシステムは、居室毎に設置される居室親機と、共同玄関に設置され、居室親機を呼び出す際、事前に登録された数字およびアルファベットからなる複数の部屋番号から呼出先の居室親機を検索するためのテンキーを有する共同玄関機とを備えたものである。共同玄関機に、テンキーにより部屋番号の数字の一部または全部を入力することにより、入力した数字の全てが含まれるアルファベット付の部屋番号が順次一覧表示され、一覧表示された部屋番号から該当する部屋番号をスクロール操作により選択して呼び出すスクロールキーを備えたものである。
【００１０】
本発明の第３の態様である集合住宅用インターホンシステムは、居室毎に設置される居室親機と、管理室に設置され、居室親機を呼び出す際、事前に登録された数字およびアルファベットからなる複数の部屋番号から呼出先の居室親機を検索するためのテンキーを有する管理室親機とを備えたものである。管理室親機に、テンキーにより部屋番号の数字の一部または全部を入力することにより、入力した数字の全てが含まれるアルファベット付の部屋番号が順次一覧表示され、一覧表示された部屋番号から該当する部屋番号をスクロール操作により選択して呼び出すスクロールキーを備えたものである。
【発明の効果】
【００１１】
本発明の集合住宅用インターホンシステムによれば、共同玄関機のテンキーの押下回数によって、数字およびアルファベットからなる複数の部屋番号から呼出先の居室親機の部屋番号を選択することができる。それゆえに、数字のみの部屋番号のみならず、数字およびアルファベットからなる複数の部屋番号から呼出先の居室親機の選択が容易となり、共同玄関機にて呼出操作を行う来訪者の利便性が高められる。
【００１２】
また、本発明の集合住宅用インターホンシステムによれば、共同玄関機のテンキーおよびスクロールバー、或いは、管理室親機のテンキーおよびスクロールキーのうち、テンキーにより、呼出先の居室親機に事前に登録されている部屋番号の数字の一部または全部を入力し、入力された数字の全てが含まれるアルファベット付の部屋番号の一覧の中から該当する部屋番号をスクロールキーを操作して選択することができる。それゆえに、数字のみの部屋番号のみならず、数字およびアルファベットからなる複数の部屋番号から呼出先の居室親機の選択が容易となり、共同玄関機にて呼出操作を行う来訪者および管理室親機にて呼出操作を行う管理人の利便性が高められる。
【発明を実施するための最良の形態】
【００１３】
以下、本発明の集合住宅用インターホンシステムを実施するための最良の形態例について、図面を参照して説明する。
【００１４】
図１は、本発明を実施するための最良の一形態である集合住宅用インターホンシステムの全体構成を示すシステム説明図である。
【００１５】
図１に示す集合住宅用インターホンシステムは、マンション等の集合住宅において、複数の居室の居室毎に設置され、数字およびアルファベットからなる後述する個別の部屋番号が事前に登録されており、複数の共同玄関のうち特定の当該共同玄関に居る来訪者（以下、特定の来訪者という。）または複数の管理室のうち特定の当該管理室内に在室中の管理人（以下、特定の管理人という。）からの呼び出しが報知され、この呼び出しに応答した居住者が通話を成立させるための（複数の）居室親機１ａ、１ｂ、・・・と、複数の管理室毎に設置され、管理人が複数の居室のうち特定の当該居室内に在室中の居住者（以下、特定の居住者という。）を呼び出して通話を成立させるための（複数の）管理室親機２ａ、２ｂ、・・・と、複数の共同玄関毎に設置され、来訪者が特定の居住者を呼び出して通話を成立させるための（複数の）共同玄関機３ａ、３ｂ、・・・とが備えられており、居室親機１ａ、１ｂ、・・・、管理室親機２ａ、２ｂ、・・・、共同玄関機３ａ、３ｂ、・・・は、共通幹線Ｌを経由して相互に接続されている。
【００１６】
なお、居室親機１ａ、１ｂ、・・・は、前述の機能の他に、通常、居住者が特定の管理人を呼び出して通話を成立させるための機能を有している。また、管理室親機２ａ、２ｂ、・・・についても前述の機能の他に、通常、特定の居住者または特定の来訪者からの呼び出しが報知され、この呼び出しに応答した管理人が通話を成立させるための機能、管理人が全ての居住者に対して一斉放送を行うための機能を有している。さらに、共同玄関機３ａ、３ｂ、・・・についても前述の機能の他に、来訪者が特定の管理人を呼び出して通話を成立させるための機能を有している。
【００１７】
図２、図３は、共同玄関機３ａ、３ｂ、・・・の詳細な外観構成をそれぞれ示す説明図であり、図２は第１の構成例、図３は第２の構成例を表している。
【００１８】
図２に示す（第１の構成例の）共同玄関機３ａ、３ｂ、・・・はそれぞれ同様な構成であり、来訪者が呼出操作を行うための操作部（以下、第１の玄関機操作部という。）３０と、第１の玄関機操作部３０にて行われる操作情報等を表示するためのＬＣＤ（Liquid Crystal Display）、有機ＥＬ（Electro Luminescence）ディスプレイ等の表示部（以下、第１の玄関機表示部という。）３１と、来訪者が通話を成立させるための音声（送話音声、受話音声）を入出力する通話部（以下、第１の玄関機通話部という。）３２とを有している。なお、前述の構成各部３０、３１、３２は、図１に表される。
【００１９】
また、第１の玄関機操作部３０には、数字、アルファベット等の英数字が割り付けられたテンキー（以下、第１の玄関機テンキーという。）３００と、第１の玄関機テンキー３００により検索／選択された部屋番号を取り消すための取消ボタン（以下、第１の玄関機取消ボタンという。）３０１と、居室親機１ａ、１ｂ、・・・のうち、第１の玄関機テンキー３００により検索／選択された部屋番号に該当する居室親機への呼び出しを能動とするための呼出ボタン（以下、第１の玄関機呼出ボタンという。）３０２と、＊（アスタリスク）キー３０３および♯（シャープ）キー３０４とが備えられている。なお、＊キー３０３および／または♯キー３０４は、その用途として、例えば、第１の玄関機テンキー３００の操作により選択された部屋番号が数字およびアルファベットからなる複数の桁であった場合、選択すべき桁に送る、或いは、選択すべき桁に戻るための機能を有している。
【００２０】
さらに、第１の玄関機テンキー３００としては、数字「０」、「１」がそれぞれ割り付けられたキーボタン、数字「２」および３つのアルファベット「Ａ、Ｂ、Ｃ」が割り付けられたキーボタン、数字「３」および３つのアルファベット「Ｄ、Ｅ、Ｆ」が割り付けられたキーボタン、数字「４」および３つのアルファベット「Ｇ、Ｈ、Ｉ」が割り付けられたキーボタン、数字「５」および３つのアルファベット「Ｊ、Ｋ、Ｌ」が割り付けられたキーボタン、数字「６」および３つのアルファベット「Ｍ、Ｎ、Ｏ」が割り付けられたキーボタン、数字「７」および４つのアルファベット「Ｐ、Ｑ、Ｒ、Ｓ」が割り付けられたキーボタン、数字「８」および３つのアルファベット「Ｔ、Ｕ、Ｖ」が割り付けられたキーボタン、数字「９」および４つのアルファベット「Ｗ、Ｘ、Ｙ、Ｚ」が割り付けられたキーボタンの計１０個のキーボタンが該当する。
【００２１】
なお、第１の玄関機テンキー３００を構成する１０個のキーボタン毎の数字に割り付けられるアルファベットの組み合わせは、図２に示す態様に限定されるものではなく、容易に変更することができる。
【００２２】
図３に示す（第２の構成例の）共同玄関機３ａ、３ｂ、・・・はそれぞれ同様な構成であり、来訪者が呼出操作を行うための操作部（以下、第２の玄関機操作部という。）４０と、第２の玄関機操作部４０にて行われる操作情報等を表示するためのＬＣＤ、有機ＥＬディスプレイ等の表示部（以下、第２の玄関機表示部という。）４１と、来訪者が通話を成立させるための音声（送話音声、受話音声）を入出力する通話部（以下、第２の玄関機通話部という。）４２とを有している。なお、前述の構成各部４０、４１、４２は、図１に表される。
【００２３】
また、第２の玄関機操作部４０には、１０個の数字「０」〜「９」がそれぞれ割り付けられたキーボタンを有するテンキー（以下、第２の玄関機テンキーという。）４００と、第２の玄関機テンキー４００により数字の一部または全部が入力された部屋番号をスクロール操作によりスクロールして、数字の一部を含むアルファベット付の部屋番号の一覧の中から該当する部屋番号を選択するためのスクロールキー（以下、玄関機スクロールキーという。）４０１と、第２の玄関機テンキー４００および玄関機スクロールキー４０１により検索／選択された部屋番号を取り消すための取消ボタン（以下、第２の玄関機取消ボタンという。）４０２と、居室親機１ａ、１ｂ、・・・のうち、玄関機スクロールキー４０１により選択された部屋番号に該当する居室親機への呼び出しを能動とするための呼出ボタン（以下、第２の玄関機呼出ボタンという。）４０３と、＊キー４０４および♯キー４０５とが備えられている。なお、＊キー４０４および／または♯キー４０５は、その用途として、例えば、当該第２の玄関機操作部にて行われる操作による入力モードを、数字またはアルファベットの何れかのモードに設定するための機能を有している。
【００２４】
図４は、管理室親機２ａ、２ｂ、・・・の詳細な外観構成を示す説明図である。
【００２５】
図４に示す管理室親機２ａ、２ｂ、・・・はそれぞれ同様な構成であり、管理人が呼出操作を行うための操作部（以下、管親操作部という。）２０と、管親操作部２０にて行われる操作情報等を表示するためのＬＣＤ、有機ＥＬディスプレイ等の表示部（以下、管親表示部という。）２１と、管理人が通話を成立させるための音声（送話音声、受話音声）を入出力する通話部（以下、管親通話部という。）２２とを有している。なお、前述の構成各部２０、２１、２２は、図１に表される。
【００２６】
また、管親操作部２０には、１０個の数字「０」〜「９」がそれぞれ割り付けられたキーボタンを有するテンキー（以下、管親テンキーという。）２００と、管親テンキー２００により数字の一部または全部が入力された部屋番号をスクロール操作によりスクロールして、数字の一部を含むアルファベット付の部屋番号の一覧の中から該当する部屋番号を選択するためのスクロールキー（以下、管親スクロールキーという。）２０１と、管親テンキー２００および管親スクロールキー２０１により検索／選択された部屋番号を取り消すための取消ボタン（以下、管親取消ボタンという。）２０２と、居室親機１ａ、１ｂ、・・・のうち、管親スクロールキー２０１により選択された部屋番号に該当する居室親機への呼び出しを能動とするための呼出ボタン（以下、管親呼出ボタンという。）２０３と、＊キー２０４および♯キー２０５とが備えられている。なお、＊キー２０４および／または♯キー２０５は、その用途として、例えば、当該管親操作部にて行われる操作による入力モードを、数字またはアルファベットの何れかのモードに設定するための機能を有している。
【００２７】
［第１の動作］
次に、本発明を実施するための最良の一形態である集合住宅用インターホンシステムにおいて、第１の動作として、図２に示す第１の玄関機テンキー３００が第１の玄関機操作部３０に備えられた共同玄関機３ａ、３ｂ、・・・を使用して来訪者が呼出操作を行う場合の動作について説明する。ここでは、共同玄関機３ａ、３ｂ、・・・のうち、共同玄関機３ａの第１の玄関機操作部３０にて来訪者が呼出操作を行い、居室親機１ａ、１ｂ、・・・のうち、居室親機１ａを呼び出す場合の動作について説明する。なお、第１の動作を説明するにあたり、居室親機１ａ、１ｂ、・・・には、数字およびアルファベットからなる個別の部屋番号として、３桁の部屋番号「Ａ１０」、「Ｂ１０」、・・・が事前に登録されているものとする。
【００２８】
図１に示す共同玄関機３ａにて居室親機１ａを呼び出すにあたって、来訪者は、図２に示す第１の玄関機操作部３０の第１の玄関機テンキー３００を構成する１０個のキーボタンのうち、居室親機１ａに事前に登録されている３桁の部屋番号「Ａ１０」のアルファベット「Ａ」が「Ｂ」、「Ｃ」とともに数字「２」に割り当てられたキーボタンを所定の回数、押下（押下操作）して第１の玄関機表示部３１に「Ａ」を表示させる。この表示を確認した来訪者は、数字の先頭の桁である「１」に割り当てられたキーボタンを操作した後、数字「１」の次の桁である「０」に割り当てられたキーボタンを操作する。これらの操作により順次選択された数字の情報（操作情報）は、前述のアルファベット「Ａ」の次の桁より「Ａ１０」のような表示形態で第１の玄関機表示部３１に表示されることになる。
【００２９】
また、共同玄関機３ａの第１の玄関機表示部３１の表示内容、すなわち、３桁の部屋番号「Ａ１０」を確認した来訪者が第１の玄関機呼出ボタン３０２を操作すると、共同玄関機３ａに事前に登録されている玄関機番号（詳述せず）および３桁の部屋番号「Ａ１０」を付加させた呼出信号（以下、第１の呼出信号という。）が生成される。
【００３０】
なお、前述の呼出操作において、共同玄関機１ａの第１の玄関機操作部３０にて行われたキー操作に間違いが生じた場合、来訪者が第１の玄関機取消ボタン３０１を操作すると、それまでに行われていた呼出操作は無効となり、改めて新規の呼出操作を行うことができる。
【００３１】
共同玄関機３ａにて生成された第１の呼出信号は、共通幹線Ｌを経由して全ての居室親機１ａ、１ｂ、・・・、全ての管理室親機２ａ、２ｂ、・・・および共同玄関機３ａを除く他の共同玄関機３ｂ、・・・にそれぞれ伝送される。
【００３２】
全ての居室親機１ａ、１ｂ、・・・、全ての管理室親機２ａ、２ｂ、・・・および共同玄関機３ａを除く他の共同玄関機３ｂ、・・・は、共通幹線Ｌを経由して伝送されてきた第１の呼出信号に付加されている３桁の部屋番号「Ａ１０」と自機器に事前に登録されている部屋番号（詳述せず）、管理室番号（詳述せず）および玄関機番号（詳述せず）とを照合し、当該番号が一致した場合にのみ共同玄関機３ａにて呼出操作を行った来訪者からの呼び出しがある旨の所定の呼出報知を行う。ここでは、居室親機１ａのみ当該番号が３桁の部屋番号「Ａ１０」で一致し、所定の呼出報知、例えば、呼出音（音声メッセージを含む。）の出力が行われる。
【００３３】
また、前述の呼出報知を確認した居住者が居室親機１ａにて所定の応答操作を行うと、居室親機１ａの通話機能（詳述せず）と共通幹線Ｌを経由して共同玄関機３ａの第１の玄関機通話部３２との間の通話路が形成され、形成された通話路を経由して音声信号を送受信させることにより通話が成立する。
【００３４】
前述までの説明から明らかなように、第１の動作によれば、数字のみの複数の部屋番号のみならず、数字およびアルファベットからなる複数の部屋番号から呼出先の居室親機１ａ、１ｂ、・・・の選択が容易となり、共同玄関機３ａ、３ｂ、・・・にて呼出操作を行う来訪者の利便性が高められる。
【００３５】
また、第１の動作によれば、共同玄関機３ａにて呼出操作を行うにあたり、呼出先として選択される当該居室親機の部屋番号として、居室親機１ａに事前に登録されている３桁の部屋番号「Ａ１０」を選択する場合について説明したが、この部屋番号が例えば、「Ａ１１」のように同じ数字「１」が直近の桁に複数割り当てられている場合には、以下の操作が必要となる。具体的には、前述と同様、アルファベット「Ａ」、数字の先頭の桁である「１」を順次選択／表示させた後、＊キー３０３および／または♯キー３０４を操作して次の桁に送った後、「１」に割り当てられたキーボタンを操作することになる。
【００３６】
なお、第１の動作によれば、居室親機１ａ、１ｂ、・・・に事前に登録されている複数の部屋番号として、３桁の「Ａ１０」、「Ｂ１０」、・・・を適用したが、この桁数に限定されるものではない。例えば、「４０Ａ２」、「３１Ｂ４Ｃ」、・・・のように、より複数の桁が数字およびアルファベットからなる複数の部屋番号にも対応することができる。
【００３７】
［第２の動作］
次に、本発明を実施するための最良の一形態である集合住宅用インターホンシステムにおいて、第２の動作として、図３に示す第２の玄関機テンキー４００が第２の玄関機操作部４０に備えられた共同玄関機３ａ、３ｂ、・・・を使用して来訪者が呼出操作を行う場合の動作について説明する。ここでは、共同玄関機３ａ、３ｂ、・・・のうち、共同玄関機３ｂの第２の玄関機操作部４０にて来訪者が呼出操作を行い、居室親機１ａ、１ｂ、・・・のうち、居室親機１ａを呼び出す場合の動作について説明する。なお、第２の動作を説明するにあたり、居室親機１ａ、１ｂ、・・・には、前述の第１の動作と同様、数字およびアルファベットからなる個別の部屋番号として、３桁の部屋番号「Ａ１０」、「Ｂ１０」、・・・が事前に登録されているものとする。
【００３８】
図１に示す共同玄関機３ｂにて居室親機１ａを呼び出すにあたって、来訪者は、図３に示す第２の玄関機操作部４０にて行われる操作による入力モードがアルファベットの入力モードであった場合には、＊キー４０４および／または♯キー４０５は使用して数字の入力モードに設定する。この後、第２の玄関機テンキー４００を構成する１０個のキーボタンのうち、居室親機１ａに事前に登録されている３桁の部屋番号「Ａ１０」の数字の先頭の桁である「１」に割り当てられたキーボタンを操作する。この操作を検出した共同玄関機３ａは、「１」が数字の一部として含まれているアルファベット付の部屋番号の一覧、例えば、「Ａ１０」、「Ｂ１０」、・・・を、第２の玄関機表示部４１に順次スクロール表示させる。このスクロール表示を確認した来訪者が玄関機スクロールキー４０１を操作して第２の玄関機表示部４１に「Ａ１０」を表示（選択表示）させた後、第２の玄関機呼出ボタン４０３を操作すると、共同玄関機３ｂに事前に登録されている玄関機番号（詳述せず）および３桁の部屋番号「Ａ１０」を付加させた呼出信号（以下、第２の呼出信号という。）が生成される。
【００３９】
なお、前述の呼出操作によれば、居室親機１ａに事前に登録されている３桁の部屋番号「Ａ１０」のうち、数字の先頭の桁である「１」を入力（選択）したが、この桁に限定されるものではない。例えば、数字の先頭の桁である「１」および次の桁である「０」を入力（選択）した後、玄関機スクロールキー４０１を操作して第２の玄関機表示部４１に「Ａ１０」を表示させ、第２の玄関機呼出ボタン４０３を操作した場合であっても同様な第２の呼出信号を生成することができる。また、前述の呼出操作において、共同玄関機１ｂにて行われたキー操作に間違いが生じた場合、来訪者が第２の玄関機操作部４０の第２の玄関機取消ボタン４０２を操作すると、それまでに行われていた呼出操作は無効となり、改めて新規の呼出操作を行うことができる。
【００４０】
共同玄関機１ｂにて生成された第２の呼出信号は、共通幹線Ｌを経由して全ての居室親機１ａ、１ｂ、・・・、全ての管理室親機２ａ、２ｂ、・・・および共同玄関機３ｂを除く他の共同玄関機３ａ、・・・にそれぞれ伝送される。
【００４１】
全ての居室親機１ａ、１ｂ、・・・、全ての管理室親機２ａ、２ｂ、・・・および共同玄関機３ｂを除く他の共同玄関機３ａ、・・・は、共通幹線Ｌを経由して伝送されてきた第２の呼出信号に付加されている３桁の部屋番号「Ａ１０」と自機器に事前に登録されている部屋番号（詳述せず）、管理室番号（詳述せず）および玄関機番号（詳述せず）とを照合し、当該番号が一致した場合にのみ共同玄関機３ｂにて呼出操作を行った来訪者からの呼び出しがある旨の所定の呼出報知を行う。ここでは、居室親機１ａのみ当該番号が３桁の部屋番号「Ａ１０」で一致し、所定の呼出報知、例えば、呼出音（音声メッセージを含む。）の出力が行われる。
【００４２】
また、前述の呼出報知を確認した居住者が居室親機１ａにて所定の応答操作を行うと、居室親機１ａの通話機能（詳述せず）と共通幹線Ｌを経由して共同玄関機３ｂの第２の玄関機通話部４２との間の通話路が形成され、形成された通話路を経由して音声信号を送受信させることにより通話が成立する。
【００４３】
前述までの説明から明らかなように、第２の動作によれば、数字のみの部屋番号のみならず、数字およびアルファベットからなる複数の部屋番号から呼出先の居室親機１ａ、１ｂ、・・・の選択が容易となり、共同玄関機３ａ、３ｂ、・・・にて呼出操作を行う来訪者の利便性が高められる。
【００４４】
なお、第２の動作によれば、居室親機１ａ、１ｂ、・・・に事前に登録されている複数の部屋番号として、３桁の「Ａ１０」、「Ｂ１０」、・・・を適用したが、この桁数に限定されるものではない。例えば、「４０Ａ２」、「３１Ｂ４Ｃ」、・・・のように、より複数の桁が数字およびアルファベットからなる複数の部屋番号にも対応することができる。具体的に、４桁の部屋番号「４０Ａ２」が事前に登録されている当該居室親機を呼び出すにあたっては、数字の先頭の桁である「４」を入力（選択）する、数字の先頭の桁である「４」および次の桁である「０」を入力（選択）する、或いは、数字の全ての桁である「４」「０」「２」を入力（選択）することにより、選択された数字が部屋番号の一部として含まれているアルファベット付の部屋番号の一覧の中から、呼出先である４桁の部屋番号「４０Ａ２」を選択することができる。
【００４５】
［第３の動作］
次に、本発明を実施するための最良の一形態である集合住宅用インターホンシステムにおいて、第３の動作として、図４に示す管親テンキー２００が管親操作部２０に備えられた管理室親機２ａ、２ｂ、・・・を使用して管理人が呼出操作を行う場合の動作について説明する。ここでは、管理室親機２ａ、２ｂ、・・・のうち、管理室親機２ｂの管親操作部２０にて管理人が呼出操作を行い、居室親機１ａ、１ｂ、・・・のうち、居室親機１ｂを呼び出す場合の動作について説明する。なお、第３の動作を説明するにあたり、居室親機１ａ、１ｂ、・・・には、前述の第１、第２の各動作と同様、数字およびアルファベットからなる個別の部屋番号として、３桁の部屋番号「Ａ１０」、「Ｂ１０」、・・・が事前に登録されているものとする。
【００４６】
図１に示す管理室親機２ｂにて居室親機１ｂを呼び出すにあたって、管理人は、図４に示す管親操作部２０にて行われる操作による入力モードがアルファベットの入力モードであった場合には、＊キー２０４および／または♯キー２０５は使用して数字の入力モードに設定する。この後、管親テンキー２００を構成する１０個のキーボタンのうち、居室親機１ｂに事前に登録されている３桁の部屋番号「Ｂ１０」の数字の先頭の桁である「１」に割り当てられたキーボタンを操作する。この操作を検出した管理室親機２ｂは、「１」が数字の一部として含まれているアルファベット付の部屋番号の一覧、例えば、「Ａ１０」、「Ｂ１０」、・・・を、管親表示部２１に順次スクロール表示させる。このスクロール表示を確認した管理人が管親スクロールキー２０１を操作して管親表示部２１に「Ｂ１０」を表示（選択表示）させた後、管親呼出ボタン２０３を操作すると、管理室親機２ｂに事前に登録されている管理室番号（詳述せず）および３桁の部屋番号「Ｂ１０」を付加させた呼出信号（以下、第３の呼出信号という。）が生成される。
【００４７】
なお、前述の呼出操作によれば、居室親機１ｂに事前に登録されている３桁の部屋番号「Ｂ１０」のうち、数字の先頭の桁である「１」を入力（選択）したが、この桁に限定されるものではない。例えば、数字の先頭の桁である「１」および次の桁である「０」を入力（選択）した後、管親スクロールキー２０１を操作して管親表示部２１に「Ｂ１０」を表示させ、管親呼出ボタン２０３を操作した場合であっても同様な第３の呼出信号を生成することができる。また、前述の呼出操作において、管理室親機２ｂにて行われたキー操作に間違いが生じた場合、管理人が管親操作部２０の管親取消ボタン２０２を操作すると、それまでに行われていた呼出操作は無効となり、改めて新規の呼出操作を行うことができる。
【００４８】
管理室親機２ｂにて生成された第３の呼出信号は、共通幹線Ｌを経由して全ての居室親機１ａ、１ｂ、・・・、管理室親機２ｂを除く他の管理室親機２ａ、・・・および全ての共同玄関機３ａ、３ｂ、・・・にそれぞれ伝送される。
【００４９】
全ての居室親機１ａ、１ｂ、・・・、管理室親機２ｂを除く他の管理室親機２ａ、・・・および全ての共同玄関機３ａ、３ｂ、・・・は、共通幹線Ｌを経由して伝送されてきた第３の呼出信号に付加されている３桁の部屋番号「Ｂ１０」と自機器に予め登録されている部屋番号（詳述せず）、管理室番号（詳述せず）および玄関機番号（詳述せず）とを照合し、当該番号が一致した場合にのみ管理室親機２ｂにて呼出操作を行った管理人からの呼び出しがある旨の所定の呼出報知を行う。ここでは、居室親機１ｂのみ当該番号が３桁の部屋番号「Ｂ１０」で一致し、所定の呼出報知、例えば、呼出音（音声メッセージを含む。）の出力が行われる。
【００５０】
また、前述の呼出報知を確認した居住者が居室親機１ｂにて所定の応答操作を行うと、居室親機１ｂの通話機能（詳述せず）と共通幹線Ｌを経由して管理室親機２ｂの管親通話部２２との間の通話路が形成され、形成された通話路を経由して音声信号を送受信させることにより通話が成立する。
【００５１】
前述までの説明から明らかなように、第３の動作によれば、数字のみの部屋番号のみならず、数字およびアルファベットからなる複数の部屋番号から呼出先の居室親機１ａ、１ｂ、・・・の選択が容易となり、管理室親機２ａ、２ｂ、・・・にて呼出操作を行う管理人の利便性が高められる。
【００５２】
なお、第３の動作によれば、居室親機１ａ、１ｂ、・・・に事前に登録されている複数の部屋番号として、３桁の「Ａ１０」、「Ｂ１０」、・・・を適用したが、この桁数に限定されるものではない。例えば、「４０Ａ２」、「３１Ｂ４Ｃ」、・・・のように、第２の動作と同様な操作で、より複数の桁が数字およびアルファベットからなる複数の部屋番号にも対応することができる。
【００５３】
本発明の集合住宅用インターホンシステムにおいては、図１、図２、図３および図４にそれぞれ示した特定の実施の形態をもって説明してきたが、この形態に限定されるものでなく、本発明の効果を奏する限り、これまで知られた如何なる構成であっても採用できるということはいうまでもないことである。
【図面の簡単な説明】
【００５４】
【図１】本発明を実施するための最良の一形態である集合住宅用インターホンシステムの全体構成を示すシステム説明図。
【図２】本発明を実施するための最良の一形態である集合住宅用インターホンシステムにおいて、共同玄関機の詳細な外観構成として、第１の構成例を示す説明図。
【図３】本発明を実施するための最良の一形態である集合住宅用インターホンシステムにおいて、共同玄関機の詳細な外観構成として、第２の構成例を示す説明図。
【図４】本発明を実施するための最良の一形態である集合住宅用インターホンシステムにおいて、管理室親機の詳細な外観構成を示す説明図。
【符号の説明】
【００５５】
１ａ、１ｂ、・・・ ……（複数の）居室親機
２ａ、２ｂ、・・・ ……（複数の）管理室親機
２００……管親テンキー（テンキー）
２０１……管親スクロールキー（スクロールキー）
３ａ、３ｂ、・・・ ……（複数の）共同玄関機
３００……第１の玄関機テンキー（テンキー）
４００……第２の玄関機テンキー（テンキー）
４０１……玄関機スクロールキー（スクロールキー）
【図１】
2007067489.tif 000003
【図２】
2007067489.tif 000004
【図３】
2007067489.tif 000005
【図４】
2007067489.tif 000006